【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
撮像手段により取得された被写体の画像を表示する表示手段と、ユーザ操作に応じて第１の操作信号又は第２の操作信号を出力し、当該第２の操作信号により、前記画像を記録手段に記録させる指示を出力する入力部を備える撮影装置において、
前記画像を記録手段に記録可能な状態において、前記入力部により第１の操作信号が出力された場合に、前記表示手段の表示状態を第１の表示状態から第２の表示状態に変化させる制御を行う表示制御手段を備えることを特徴とする撮影装置。
【請求項２】
撮像手段により取得された被写体の画像を表示する表示手段と、ユーザ操作に応じて第１の操作信号又は第２の操作信号を出力し、当該第２の操作信号により、前記画像を記録手段に記録させる指示を出力する入力部を備える撮影装置において、
前記画像を記録手段に記録可能な状態において、前記入力部から第１の操作信号が出力された場合に、前記表示手段に撮影に関する情報を表示させる表示制御手段を備えることを特徴とする撮影装置。
【請求項３】
前記表示制御手段は、前記入力部から第１の操作信号が出力された場合に、前記表示手段の表示状態を、前記被写体の画像が表示されている状態から、前記被写体の画像及び前記撮影に関する情報が表示された状態に変化させることを特徴とする請求項２記載の撮影装置。
【請求項４】
前記表示制御手段は、前記入力部から第１の操作信号が出力された場合に、前記表示手段の表示状態を、何も表示されていない状態から、前記撮影に関する情報が表示された状態に変化させることを特徴とする請求項２記載の撮影装置。
【請求項５】
前記表示制御手段は、前記入力部から第１の操作信号が出力された場合に、前記表示手段の表示状態を、前記撮影に関する情報の一部が表示されている状態から、前記撮影に関する情報の全てが表示された状態に変化させることを特徴とする請求項２記載の撮影装置。
【請求項６】
撮像手段により取得された被写体の画像を表示する表示手段と、ユーザ操作に応じて第１の操作信号又は第２の操作信号を出力し、当該第２の操作信号により、前記画像を記録手段に記録させる指示を出力する入力部を備える撮影装置において、
前記画像を記録手段に記録可能な状態において、前記入力部から第１の操作信号が出力された場合に、前記表示手段に前記被写体の画像を表示させる表示制御手段を備えることを特徴とする撮影装置。
【請求項７】
前記表示制御手段は、前記入力部から第１の操作信号が出力された場合に、前記表示手段の表示状態を、撮影に関する情報が表示されている状態から、前記被写体の画像及び前記撮影に関する情報が表示された状態に変化させることを特徴とする請求項６記載の撮影装置。
【請求項８】
前記撮影に関する情報は、撮影モード、画質モード、フラッシュＯＮ／ＯＦＦ、残りコマ数、電池残容量、レンズ設定及び記録解像度のうち少なくとも１以上を含むことを特徴とする請求項２〜５及び７の何れか一項に記載の撮影装置。
【請求項９】
撮像手段により取得された被写体の画像を表示する表示手段と、ユーザ操作に応じて第１の操作信号又は第２の操作信号を出力し、当該第２の操作信号により、前記画像を記録手段に記録させる指示を出力する入力部と、モードに応じて前記表示手段を所定の表示状態にさせる指示を出力するモード選択手段と、を備える撮影装置において、
前記画像を記録手段に記録可能な状態において、前記表示手段の表示状態を前記モード選択手段により指示されたモードに応じた第１の表示状態にさせ、前記入力部により第１の操作信号が出力された場合に、前記表示手段の表示状態を前記第１の表示状態から、第２の表示状態に変化させる制御を行う表示制御手段を備えることを特徴とする撮影装置。
【請求項１０】
前記入力部は、操作量に応じて第１の操作信号又は第２の操作信号を出力する２段式のスイッチを有してなることを特徴とする請求項１〜９の何れか一項に記載の撮影装置。
【手続補正２】
【補正対象書類名】明細書
【補正対象項目名】０００５
【補正方法】変更
【補正の内容】
【０００５】
【課題を解決するための手段】
上記課題を解決するために、請求項１記載の発明は、
撮像手段により取得された被写体の画像を表示する表示手段と、ユーザ操作に応じて第１の操作信号又は第２の操作信号を出力し、当該第２の操作信号により、前記画像を記録手段に記録させる指示を出力する入力部を備える撮影装置において、
前記画像を記録手段に記録可能な状態において、前記入力部により第１の操作信号が出力された場合に、前記表示手段の表示状態を第１の表示状態から第２の表示状態に変化させる制御を行う表示制御手段を備えることを特徴とする。
【手続補正３】
【補正対象書類名】明細書
【補正対象項目名】０００６
【補正方法】変更
【補正の内容】
【０００６】
したがって、被写体の画像を記録手段に記録させる指示を出力する直前に、入力部を操作して第１の操作信号を出力させることにより、表示手段の表示状態を第１の表示状態から、第２の表示状態に変化させることができる。これにより、例えば、表示手段を１つしか備えない撮影装置において、撮影時以外には情報を非表示させておき、撮影時に撮影に係る入力部を操作することにより、必要な情報を容易に表示手段に表示させることができるため、利便性が良い。
【手続補正４】
【補正対象書類名】明細書
【補正対象項目名】０００８
【補正方法】変更
【補正の内容】
【０００８】
請求項２記載の発明は、
撮像手段により取得された被写体の画像を表示する表示手段と、ユーザ操作に応じて第１の操作信号又は第２の操作信号を出力し、当該第２の操作信号により、前記画像を記録手段に記録させる指示を出力する入力部を備える撮影装置において、
前記画像を記録手段に記録可能な状態において、前記入力部から第１の操作信号が出力された場合に、前記表示手段に撮影に関する情報を表示させる表示制御手段を備えることを特徴とする。
【手続補正５】
【補正対象書類名】明細書
【補正対象項目名】０００９
【補正方法】変更
【補正の内容】
【０００９】
したがって、画像を記録手段に記録させる指示するための第２の操作信号を出力させる前に、第１の操作信号を出力させて、撮影に関する情報を表示手段に表示させることができ、撮影時に必要な情報を得ることができる。
【手続補正６】
【補正対象書類名】明細書
【補正対象項目名】００１０
【補正方法】変更
【補正の内容】
【００１０】
請求項３記載の発明は、請求項２記載の撮影装置において、
前記表示制御手段は、前記入力部から第１の操作信号が出力された場合に、前記表示手段の表示状態を、前記被写体の画像が表示されている状態から、前記被写体の画像及び前記撮影に関する情報が表示された状態に変化させることを特徴とする。
【手続補正７】
【補正対象書類名】明細書
【補正対象項目名】００１１
【補正方法】変更
【補正の内容】
【００１１】
したがって、被写体の画像が表示されている状態にて、入力部から第１の操作信号を出力させることにより、被写体の画像に重畳させて撮影に関する情報を表示手段に表示させることができる。すなわち、撮影時に、被写体の画像と撮影に関する情報を同時に参照することができ、利便性が良い。
【手続補正８】
【補正対象書類名】明細書
【補正対象項目名】００１２
【補正方法】変更
【補正の内容】
【００１２】
請求項４記載の発明は、請求項２記載の撮影装置において、
前記表示制御手段は、前記入力部から第１の操作信号が出力された場合に、前記表示手段の表示状態を、何も表示されていない状態から、前記撮影に関する情報が表示された状態に変化させることを特徴とする。
【手続補正９】
【補正対象書類名】明細書
【補正対象項目名】００１３
【補正方法】変更
【補正の内容】
【００１３】
したがって、表示手段に何も表示されていない状態にて、入力部から第１の操作信号を出力させることにより、撮影に関する情報を表示させることができる。すなわち、撮影時に、表示手段がＯＦＦされている場合でも、撮影に係る入力部を操作することにより、撮影に関する情報を表示させることができるため、操作性が良い。また、撮影に必要な情報を表示させるために、予め表示手段に電源を供給して駆動させておく必要がなく、電源を節約することができる。
【手続補正１０】
【補正対象書類名】明細書
【補正対象項目名】００１４
【補正方法】変更
【補正の内容】
【００１４】
請求項５記載の発明は、請求項２記載の撮影装置において、
前記表示制御手段は、前記入力部から第１の操作信号が出力された場合に、前記表示手段の表示状態を、前記撮影に関する情報の一部が表示されている状態から、前記撮影に関する情報の全てが表示された状態に変化させることを特徴とする。
【手続補正１１】
【補正対象書類名】明細書
【補正対象項目名】００１５
【補正方法】変更
【補正の内容】
【００１５】
したがって、撮影に関する情報の一部が表示されている状態にて、入力部から第１の操作信号を出力させることにより、撮影に関する情報の全てを表示させることができる。これにより、通常は不必要な情報を非表示させて、撮影時にのみ必要な情報を表示させることにより、表示手段の視認性を向上させることができる。
【手続補正１２】
【補正対象書類名】明細書
【補正対象項目名】００１６
【補正方法】変更
【補正の内容】
【００１６】
請求項６記載の発明は、
撮像手段により取得された被写体の画像を表示する表示手段と、ユーザ操作に応じて第１の操作信号又は第２の操作信号を出力し、当該第２の操作信号により、前記画像を記録手段に記録させる指示を出力する入力部を備える撮影装置において、
前記画像を記録手段に記録可能な状態において、前記入力部から第１の操作信号が出力された場合に、前記表示手段に前記被写体の画像を表示させる表示制御手段を備えることを特徴とする。
【手続補正１３】
【補正対象書類名】明細書
【補正対象項目名】００１７
【補正方法】変更
【補正の内容】
【００１７】
したがって、画像を記録手段に記録させる指示となる第２の操作信号を出力させる前に、第１の操作信号を出力させて、被写体の画像を表示手段に表示させることができ、撮影時に表示手段を参照しながら撮影を行うことができる。
【手続補正１４】
【補正対象書類名】明細書
【補正対象項目名】００１８
【補正方法】変更
【補正の内容】
【００１８】
請求項７記載の発明は、請求項６記載の撮影装置において、
前記表示制御手段は、前記入力部から第１の操作信号が出力された場合に、前記表示手段の表示状態を、撮影に関する情報が表示されている状態から、前記被写体の画像及び前記撮影に関する情報が表示された状態に変化させることを特徴とする。
【手続補正１５】
【補正対象書類名】明細書
【補正対象項目名】００１９
【補正方法】変更
【補正の内容】
【００１９】
したがって、撮影に関する情報が表示されている状態にて、入力部から第１の操作信号を出力させることにより、撮影に関する情報に重畳させて被写体の画像を表示手段に表示させることができる。すなわち、撮影時に、被写体の画像と撮影に関する情報を同時に参照することができ、利便性が良い。
【手続補正１６】
【補正対象書類名】明細書
【補正対象項目名】００２０
【補正方法】変更
【補正の内容】
【００２０】
請求項８記載の発明は、請求項２〜５及び７の何れか一項に記載の撮影装置において、
前記撮影に関する情報は、撮影モード、画質モード、フラッシュＯＮ／ＯＦＦ、残りコマ数、電池残容量、レンズ設定及び記録解像度のうち少なくとも１以上を含むことを特徴とする。
【手続補正１７】
【補正対象書類名】明細書
【補正対象項目名】００２２
【補正方法】変更
【補正の内容】
【００２２】
請求項９記載の発明は、
撮像手段により取得された被写体の画像を表示する表示手段と、ユーザ操作に応じて第１の操作信号又は第２の操作信号を出力し、当該第２の操作信号により、前記画像を記録手段に記録させる指示を出力する入力部と、モードに応じて前記表示手段を所定の表示状態にさせる指示を出力するモード選択手段と、を備える撮影装置において、
前記画像を記録手段に記録可能な状態において、前記表示手段の表示状態を前記モード選択手段により指示されたモードに応じた第１の表示状態にさせ、前記入力部により第１の操作信号が出力された場合に、前記表示手段の表示状態を前記第１の表示状態から、第２の表示状態に変化させる制御を行う表示制御手段を備えることを特徴とする。
請求項１０記載の発明は、請求項１〜９の何れか一項に記載の撮影装置において、
前記入力部は、操作量に応じて第１の操作信号又は第２の操作信号を出力する２段式のスイッチを有してなることを特徴とする。
【手続補正１８】
【補正対象書類名】明細書
【補正対象項目名】００２３
【補正方法】変更
【補正の内容】
【００２３】
したがって、モード選択手段の指示によりモードに応じて第１の表示状態にさせ、入力部を操作して第１の操作信号を出力させることにより、第２の表示状態に変化させることができるため、種々の情報を組み合わせて第１の表示状態及び第２の表示状態を生成することができ、ユーザの目的に応じて、表示手段に必要な情報を表示させることができる。また、例えば、第１の表示状態として表示手段の電源を遮断して駆動を停止させておき、撮影時に入力部を操作することにより、表示手段を駆動させ、第２の表示状態として表示情報を表示させることができるため、撮影装置に備える電源を節約することができる。
さらに、入力部は、操作量に応じて第１の操作信号又は第２の操作信号を出力する２段式のスイッチを有してなるため、撮影に係るスイッチを操作することにより、表示の切り替えをすることできる。これにより、撮影時に必要となる情報を適切なタイミングで容易に表示手段に表示させることができ、操作性が向上する。
【手続補正１９】
【補正対象書類名】明細書
【補正対象項目名】００６６
【補正方法】変更
【補正の内容】
【００６６】
【発明の効果】
請求項１記載の発明によれば、被写体の画像を記録手段に記録させる指示を出力する直前に、入力部を操作して第１の操作信号を出力させることにより、表示手段の表示状態を第１の表示状態から、第２の表示状態に変化させることができる。これにより、例えば、表示手段を１つしか備えない撮影装置において、撮影時以外には情報を非表示させておき、撮影時に撮影に係る入力部を操作することにより、必要な情報を容易に表示手段に表示させることができるため、利便性が良い。
【手続補正２０】
【補正対象書類名】明細書
【補正対象項目名】００６７
【補正方法】変更
【補正の内容】
【００６７】
請求項２記載の発明によれば、画像を記録手段に記録させる指示するための第２の操作信号を出力させる前に、第１の操作信号を出力させて、撮影に関する情報を表示手段に表示させることができ、撮影時に必要な情報を得ることができる。
【手続補正２１】
【補正対象書類名】明細書
【補正対象項目名】００６８
【補正方法】変更
【補正の内容】
【００６８】
請求項３記載の発明によれば、請求項２記載の発明の効果に加えて、被写体の画像が表示されている状態にて、入力部から第１の操作信号を出力させることにより、被写体の画像に重畳させて撮影に関する情報を表示手段に表示させることができる。すなわち、撮影時に、被写体の画像と撮影に関する情報を同時に参照することができ、利便性が良い。
【手続補正２２】
【補正対象書類名】明細書
【補正対象項目名】００６９
【補正方法】変更
【補正の内容】
【００６９】
請求項４記載の発明によれば、請求項２記載の発明の効果に加えて、表示手段に何も表示されていない状態にて、入力部から第１の操作信号を出力させることにより、撮影に関する情報を表示させることができる。すなわち、撮影時に、表示手段がＯＦＦされている場合でも、撮影に係る入力部を操作することにより、撮影に関する情報を表示させることができるため、操作性が良い。また、撮影に必要な情報を表示させるために、予め表示手段に電源を供給して駆動させておく必要がなく、電源を節約することができる。
【手続補正２３】
【補正対象書類名】明細書
【補正対象項目名】００７０
【補正方法】変更
【補正の内容】
【００７０】
請求項５記載の発明によれば、請求項２記載の発明の効果に加えて、撮影に関する情報の一部が表示されている状態にて、入力部から第１の操作信号を出力させることにより、撮影に関する情報の全てを表示させることができる。これにより、通常は不必要な情報を非表示させて、撮影時にのみ必要な情報を表示させることにより、表示手段の視認性を向上させることができる。
【手続補正２４】
【補正対象書類名】明細書
【補正対象項目名】００７１
【補正方法】変更
【補正の内容】
【００７１】
請求項６記載の発明によれば、画像を記録手段に記録させる指示となる第２の操作信号を出力させる前に、第１の操作信号を出力させて、被写体の画像を表示手段に表示させることができ、撮影時に表示手段を参照しながら撮影を行うことができる。
【手続補正２５】
【補正対象書類名】明細書
【補正対象項目名】００７２
【補正方法】変更
【補正の内容】
【００７２】
請求項７記載の発明によれば、請求項６記載の発明の効果に加えて、撮影に関する情報が表示されている状態にて、入力部から第１の操作信号を出力させることにより、撮影に関する情報に重畳させて被写体の画像を表示手段に表示させることができる。すなわち、撮影時に、被写体の画像と撮影に関する情報を同時に参照することができ、利便性が良い。
【手続補正２６】
【補正対象書類名】明細書
【補正対象項目名】００７３
【補正方法】変更
【補正の内容】
【００７３】
請求項８記載の発明によれば、請求項２から５及び７の何れか一項に記載の発明の効果に加えて、ユーザーは、種々の撮影に関する情報を参照することができ、これらの情報に基づいて、目的に応じた撮影を行うことができる。
【手続補正２７】
【補正対象書類名】明細書
【補正対象項目名】００７４
【補正方法】変更
【補正の内容】
【００７４】
請求項９記載の発明によれば、モード選択手段の指示によりモードに応じて第１の表示状態にさせ、入力部を操作して第１の操作信号を出力させることにより、第２の表示状態に変化させることができるため、種々の情報を組み合わせて第１の表示状態及び第２の表示状態を生成することができ、ユーザの目的に応じて、表示手段に必要な情報を表示させることができる。また、例えば、第１の表示状態として表示手段の電源を遮断して駆動を停止させておき、撮影時に入力部を操作することにより、表示手段を駆動させ、第２の表示状態として表示情報を表示させることができるため、撮影装置に備える電源を節約することができる。
また、請求項１０記載の発明によれば、入力部は、操作量に応じて第１の操作信号又は第２の操作信号を出力する２段式のスイッチを有してなるため、撮影に係るスイッチを操作することにより、表示の切り替えをすることできる。これにより、撮影時に必要となる情報を適切なタイミングで容易に表示手段に表示させることができ、操作性が向上する。